(57)【要約】【課題】  配信されるデータを効率よく蓄積することができる情報受信装置を提供する。【解決手段】  基地局に接続可能な通信部と、基地局を介して配信されたデータを記憶する記憶部と、第１のタイミングが到来すると、通信部を起動して、基地局を介して配信されるデータを受信して、該受信データを記憶部の予め決められた第１の領域に記憶するデータ取得部と、第１のタイミング以前のタイミングである第２のタイミングにおいて、記憶部の第１の領域に記憶されているデータについて削除あるいは記憶部の他の領域へ移動する記憶領域確保処理を行う制御部とを備える。【選択図】    図１
2007043367.tif 000002
【特許請求の範囲】
【請求項１】
基地局に接続可能な通信部と、
前記基地局を介して配信されたデータを記憶する記憶部と、
第１のタイミングが到来すると、前記通信部を起動して、前記基地局を介して配信されるデータを受信して、該受信データを前記記憶部の予め決められた第１の領域に記憶するデータ取得部と、
前記第１のタイミング以前のタイミングである第２のタイミングにおいて、前記記憶部の第１の領域に記憶されているデータについて削除あるいは前記記憶部の他の領域へ移動する記憶領域確保処理を行う制御部と
を備えたことを特徴とする情報受信装置。
【請求項２】
前記第１のタイミングは、前記配信データの配信管理を行うサーバから指定された時刻であることを特徴とする請求項１に記載の情報受信装置。
【請求項３】
前記制御部は、前記第１のタイミングが指定されると、該第１のタイミングより所定時間前の時刻を前記第２のタイミングとして設定することを特徴とする請求項２に記載の情報受信装置。
【請求項４】
前記第２のタイミングは、前記配信データの配信管理を行うサーバから指定された時刻であり、
前記第１のタイミングは、前記記憶領域確保処理が完了したタイミングであることを特徴とする請求項１に記載の情報受信装置。
【請求項５】
前記第２のタイミングは、前記配信データの配信管理を行うサーバから指定された時刻であり、
前記制御部は、前記第２のタイミングが到来すると、前記通信部により基地局に接続して取得するべきデータの有無を確認するデータ有無確認処理を実行し、取得するべきデータが存在する場合に、前記記憶領域確保処理を実行することを特徴とする請求項１に記載の情報受信装置。
【請求項６】
前記制御部は、前記第２のタイミング到来時において、他のアプリケーションの処理中である場合に、当該アプリケーションの終了を待って前記記憶領域確保処理を行うことを特徴とする請求項１から５のいずれか一項に記載の情報受信装置。
【請求項７】
前記制御部は、前記２のタイミングが到来した場合、前記記憶領域確保処理以外のアプリケーションの起動操作を行わせないことを特徴とする請求項４または５のいずれか一項に記載の情報受信装置。
【請求項８】
前記制御部は、前記記憶部に記憶するデータの件数の上限値を設定可能であり、前記記憶部に記憶されているデータ件数が前記上限値に達している場合は、所定の条件を満たすデータを前記記憶部から削除することを特徴とする請求項１から７のいずれか一項に記載の情報受信装置。
【請求項９】
前記制御部は、データに対する上書き設定の有無、又はデータが未再生であるか否かを確認する確認処理の結果に基づいて、前記記憶領域確保処理を行うか否かを決定することを特徴とする請求項１から８のいずれか一項に記載の情報受信装置。
【請求項１０】
基地局に接続可能な通信部と、前記基地局を介して配信されたデータを記憶する記憶部と、第１のタイミングが到来すると、前記通信部を起動して、前記基地局を介して配信されるデータを受信して、該受信データを前記記憶部の予め決められた第１の領域に記憶するデータ取得部とを備えた情報受信装置におけるデータダウンロード方法であって、
前記第１のタイミング以前のタイミングである第２のタイミングにおいて、前記記憶部の第１の領域に記憶されているデータについて削除あるいは前記記憶部の他の領域へ移動することにより記憶領域を確保するステップを有することを特徴とするデータダウンロード方法。
【発明の詳細な説明】
【技術分野】
【０００１】
本発明は、配信されるデータを効率よく蓄積することができる情報受信装置及びデータダウンロード方法に関する。
【背景技術】
【０００２】
近年の携帯端末においては、ニュースやアニメ、ドラマ、音楽番組等のテレビ番組を動画ファイルとして配信するサービスが提供されている。このサービスは、ユーザが所望の番組を登録しておくと、携帯端末のデータフォルダ内に、配信サービス用の予約記憶領域が作成され、そこに番組データがダウンロードされることになる。番組データの配信は原則的にトラフィックの軽い時間帯になされることが望ましいため、ユーザが就寝している深夜の時間帯に実施されるのが一般的である。番組データの自動更新時刻は情報配信サーバにより携帯端末毎に個別に指定され、自動更新時刻になると携帯端末内のダウンロードアプリケーションが起動し、情報配信サーバに対して更新番組の確認を行い、更新されていればダウンロードを実行するようになっている。ダウンロード対象の番組データには、毎日または毎週ごとに配信されるニュース番組のような情報提供型のものや、毎日または毎週ごとに話数が増えていくシリーズ型、一度のみ配信される読み切り型が存在する。
なお、使用者個々人の生活パターンに適応し、その使用者が携帯端末を使用する可能性が低い時間帯に携帯端末のデータのダウンロード及び更新をすることができる携帯端末が知られている（例えば、特許文献１参照）。
【特許文献１】特開２００４−２９７１２６号公報
【発明の開示】
【発明が解決しようとする課題】
【０００３】
ところで、動画ファイル等の番組データをダウンロードする際には、携帯端末に設けられたデータフォルダ内の配信サービス用の予約領域に対してダウンロードが行われるため、以前にダウンロードした動画ファイルを上書きされてしまう。このため、ユーザは、上書きされることによって消去されてしまう動画ファイルを予約領域ではないデータフォルダや、着脱可能な外部メモリ（ＳＤカード等）へ移動させる操作を行う必要がある。
【０００４】
しかしながら、動画ファイルは毎日や毎週配信されるものであるため、保存しておきたい動画ファイルをその都度ユーザが他のデータフォルダへ移動させる操作を行うのはたいへん手間がかかるという問題がある。また、配信されるデータの受信は、情報配信サーバから指定される時刻に行なう必要があり、ＴＶ番組の録画のように一意的に決められた時刻に保存することができないため、ダウンロードした動画ファイルを一度も再生していないのにもかかわらず、データの移動操作を忘れてしまうと、新たに配信された動画ファイルによって上書きされてしまい、通信料金が無駄になってしまうという問題もある。
【０００５】
本発明は、このような事情に鑑みてなされたもので、配信されるデータを効率よく蓄積することができる情報受信装置及びデータダウンロード方法を提供することを目的とする。
【課題を解決するための手段】
【０００６】
本発明は、基地局に接続可能な通信部と、前記基地局を介して配信されたデータを記憶する記憶部と、第１のタイミングが到来すると、前記通信部を起動して、前記基地局を介して配信されるデータを受信して、該受信データを前記記憶部の予め決められた第１の領域に記憶するデータ取得部と、前記第１のタイミング以前のタイミングである第２のタイミングにおいて、前記記憶部の第１の領域に記憶されているデータについて削除あるいは前記記憶部の他の領域へ移動する記憶領域確保処理を行う制御部とを備えたことを特徴とする。
【０００７】
本発明は、前記第１のタイミングは、前記配信データの配信管理を行うサーバから指定された時刻であることを特徴とする。
【０００８】
本発明は、前記制御部は、前記第１のタイミングが指定されると、該第１のタイミングより所定時間前の時刻を前記第２のタイミングとして設定することを特徴とする。
【０００９】
本発明は、前記第２のタイミングは、前記配信データの配信管理を行うサーバから指定された時刻であり、前記第１のタイミングは、前記記憶領域確保処理が完了したタイミングであることを特徴とする。
【００１０】
本発明は、前記第２のタイミングは、前記配信データの配信管理を行うサーバから指定された時刻であり、前記制御部は、前記第２のタイミングが到来すると、前記通信部により基地局に接続して取得するべきデータの有無を確認するデータ有無確認処理を実行し、取得するべきデータが存在する場合に、前記記憶領域確保処理を実行することを特徴とする。
【００１１】
本発明は、前記制御部は、前記第２のタイミング到来時において、他のアプリケーションの処理中である場合に、当該アプリケーションの終了を待って前記記憶領域確保処理を行うことを特徴とする。
【００１２】
本発明は、前記制御部は、前記２のタイミングが到来した場合、前記記憶領域確保処理以外のアプリケーションの起動操作を行わせないことを特徴とする。
【００１３】
本発明は、前記制御部は、前記記憶部に記憶するデータの件数の上限値を設定可能であり、前記記憶部に記憶されているデータ件数が前記上限値に達している場合は、所定の条件を満たすデータを前記記憶部から削除することを特徴とする。
【００１４】
本発明は、前記制御部は、データに対する上書き設定の有無、又はデータが未再生であるか否かを確認する確認処理の結果に基づいて、前記記憶領域確保処理を行うか否かを決定することを特徴とする。
【００１５】
本発明は、基地局に接続可能な通信部と、前記基地局を介して配信されたデータを記憶する記憶部と、第１のタイミングが到来すると、前記通信部を起動して、前記基地局を介して配信されるデータを受信して、該受信データを前記記憶部の予め決められた第１の領域に記憶するデータ取得部とを備えた情報受信装置におけるデータダウンロード方法であって、前記第１のタイミング以前のタイミングである第２のタイミングにおいて、前記記憶部の第１の領域に記憶されているデータについて削除あるいは前記記憶部の他の領域へ移動することにより記憶領域を確保するステップを有することを特徴とする。
【発明の効果】
【００１６】
本発明によれば、ユーザが煩雑な操作を行うことなく、ダウンロードしたデータの整理を行うことができるとともに、ダウンロードデータを効率よく記憶力領域に蓄積することができるという効果が得られる。
【発明を実施するための最良の形態】
【００１７】
以下、本発明の一実施形態による情報受信装置を図面を参照して説明する。ここでは、携帯端末を例にして情報受信装置を説明する。図１は同実施形態の構成を示すブロック図である。この図において、符号１は、移動通信を行うことが可能な携帯端末である。符号２は、携帯端末１の処理動作を統括して制御する制御部である。符号３は、ダイヤルキー、ファンクションキーなどからなる入力部である。符号４は、液晶の表示装置等から構成する表示部である。符号５は、話者の音声を集音するマイク及び通話相手の音声を発音するスピーカを備え、移動電話機能を実現する電話機能部である。符号６は、無線通信回線を確立し電話通信及び情報通信を行う通信部である。符号７は、予めインストールされているアプリケーションを使用して情報処理を実行する情報処理機能部である。符号８は、着信音やダウンロードしたデータに基づいて再生された音声を発音するスピーカである。符号９は、ダウンロードしたデータ等を格納する記憶部である。符号１０は、携帯端末１に対して着脱可能な外部メモリである。符号１１は、通信部６との間で無線通信を確立する基地局である。符号１２は、基地局１１が接続される通信網である。符号１３は、通信網１２に接続され、携帯端末１に対して情報配信を行う情報配信サーバである。
【００１８】
ここで、図５を参照して、図１に示す記憶部９または外部メモリ１０内に生成されるデータフォルダの構成について説明する。記憶部９または外部メモリ１０内に生成されるデータフォルダには、毎日または毎週ごとに話数が増えていくデータファイルを保存するためのシリーズ型フォルダと、単発もののデータファイルを保存するためのその他のフォルダのタイプがある。それぞれのフォルダには、情報識別名、分類番号、参照フラグが関連付けられて記憶される。情報識別名は、「英会話講座」、「料理番組」等の識別名からなり、ダウンロードしたデータに付与されている識別名が使用される。分類番号は、シリーズ型のデータファイルの話数を識別するための番号である。分類番号が「０」の場合は、単発もののデータファイルであることを示している。参照フラグは、ダウンロードされたデータファイルのうち、既に再生されたデータファイルには「１」が付与され、未だ再生されていないデータファイルには「０」が付与される。ダウンロードしたデータの実体は、記憶部９内の別の記憶領域に記憶されるが、それぞれのフォルダに記憶されている情報識別名と分類番号によって特定される。
【００１９】
次に、図４を参照して、図１に示す携帯端末１と情報配信サーバ１３間におけるデータ更新チェックの動作を説明する。
まず、携帯端末１は、前回の更新チェックを行った際に情報配信サーバ１３より送信される更新予定日時の情報に基づき、更新予定日時になった時点で情報配信サーバ１３に対してデータの更新チェックを行なう（ステップＳ３１）。これを受けて、情報配信サーバ１３は、携帯端末１に対して配信する動画データの有無、次回の更新予定日時の情報を通知する（ステップＳ３２）。このとき、携帯端末１は、ダウンロードするべき配信データがあった場合は、データファイルの移動処理を実行する（ステップＳ３３）。このデータファイルの移動処理の詳細は後述する。携帯端末１は、データファイルの移動処理が完了した後、情報配信サーバ１３に対してダウンロード要求を行ない（ステップＳ３４）、データのダウンロード処理を実行する（ステップＳ３５）。このダウンロードは、トラフィック量が低い時間帯（一般的に就寝時の深夜時間帯）に行われる。
【００２０】
なお、データの更新チェック及びデータファイルの移動処理を行うタイミング（請求項でいう第２のタイミング）は、事前に情報配信サーバ１３より指定された時刻になった時点で開始し、このデータの更新チェック及びデータファイルの移動処理が終了した時点（請求項でいう第１のタイミング）で、データファイルのダウンロードを開始するようにする。
【００２１】
また、事前に情報配信サーバ１３より指定された時刻になった時点でデータファイルのダウンロードを開始できるように、情報配信サーバ１３より指定された時刻より以前にデータの更新チェック及びデータファイルの移動処理を行い、事前に情報配信サーバ１３より指定された時刻になるまでに更新チェック及びデータファイルの移動処理が終了するようにしてもよい。この場合、事前に情報配信サーバ１３より指定された時刻（請求項でいう第１のタイミング）より更新チェック及びデータファイルの移動処理に必要な処理時間だけ前の時刻（請求項でいう第２のタイミング）を設定し、この時刻になった時点で、更新チェック及びデータファイルの移動処理を開始すれば、情報配信サーバ１３より指定された時刻になった時点でデータファイルのダウンロードを開始することが可能となる。
【００２２】
次に、図２を参照して、図４に示すデータファイルの移動処理（ステップＳ３３）の詳細動作を説明する。
ユーザは、事前に動画配信サービスの提供を受けることを情報配信サーバ１３に対して登録しておく。また、データをダウンロードする場合に、データを上書きするのか、上書きしないでデータフォルダへ移動するのかの設定を行うとともに、携帯端末１内に残しておく最大話数の設定を行っておく。
【００２３】
そして、制御部２は、情報配信サーバ１３から指定された時刻になると（ステップＳ１）、通信部６に対して、基地局１１との間で無線通信を確立するように指示を出す。これを受けて、通信部６は、基地局１１との間で通信を確立する（ステップＳ２）。基地局１１との通信が確立すると、制御部２は、情報配信サーバ１３に接続する（ステップＳ３）。
【００２４】
次に、制御部２は、情報配信サーバ１３に対して、更新チェックを行い（ステップＳ４）、配信されるデータファイル（動画ファイル等）が存在するか否かを判定する（ステップＳ５）。制御部２は、配信されるデータファイルが存在しない場合、処理を終了する。一方、データファイル（動画ファイル等）が存在する場合、データファイルの移動処理を開始する（ステップＳ６）。制御部２は、このデータファイルの移動処理（ステップＳ７〜Ｓ２１）を実行中は、着信発生時の応答のための操作以外の他のアプリケーション起動の操作を無効とする。
【００２５】
制御部２は、まずダウンロードする際に上書きを行うことが設定されているか否かを判定する（ステップＳ７）。この判定の結果、上書きダウンロードの設定でない場合、制御部２は、記憶部９内の使用済み記憶容量が所定値以上であるか否かを判定する（ステップＳ８）。この判定の結果、使用済み記憶容量が所定値以下であれば（記憶領域が空いていれば）、制御部２は、予約領域に記憶されているデータをフォルダへ移動する（ステップＳ９）。ここでいう移動とは、元データを別の記憶領域へコピーした後に元データを削除することである。そして、制御部２は、情報配信サーバ１３が配信するデータファイルをダウンロードして、記憶部９の予約領域へ記憶する（ステップＳ２２）。また、使用済み記憶容量が所定値以上である場合、制御部２は、予約領域に記憶されているデータを外部メモリ１０へ移動し（ステップＳ１０）、外部メモリへデータファイルを移動したことを示すメッセージを表示部４へ表示することにより、データファイルを外部メモリへ移動したことをユーザに対して通知する（ステップＳ１１）。そして、制御部２は、情報配信サーバ１３が配信するデータファイルをダウンロードして、記憶部９の予約領域へ記憶する（ステップＳ２２）。
【００２６】
次に、上書きダウンロードが設定されている場合、制御部２は、最大話数が１以上に設定されているか否かを判定する（ステップＳ１２）。この判定の結果、設定されていなければ、制御部２は、予約領域に記憶されているデータファイル（上書きされようとしているデータファイル）が未だ再生されていないか否かを判定する（ステップＳ１３）。この判定の結果、再生されているのであれば、制御部２は、情報配信サーバ１３が配信するデータファイルをダウンロードして、記憶部９の予約領域へ記憶する（ステップＳ２２）。これにより、予約領域に記憶されているデータファイルは新たなデータファイルによって上書きされることになる。
【００２７】
一方、予約領域に記憶されているデータファイル（上書きされようとしているデータファイル）が未だ再生されていない場合、制御部２は、記憶部９内の使用済み記憶容量が所定値以上であるか否かを判定する（ステップＳ１４）。この判定の結果、使用済み記憶容量が所定値以下であれば（記憶領域が空いていれば）、制御部２は、予約領域に記憶されているデータを別のフォルダへ移動し（ステップＳ１５）、別のデータフォルダへデータファイルを移動したことを示すメッセージを表示部４へ表示することにより、データファイルを移動したことをユーザに対して通知する（ステップＳ１６）。一方、使用済み記憶容量が所定値以上である場合、制御部２は、予約領域に記憶されているデータを外部メモリ１０へ移動し（ステップＳ１７）、外部メモリへデータファイルを移動したことを示すメッセージを表示部４へ表示することにより、データファイルを外部メモリへ移動したことをユーザに対して通知する（ステップＳ１６）。そして、制御部２は、情報配信サーバ１３が配信するデータファイルをダウンロードして、記憶部９の予約領域へ記憶する（ステップＳ２２）。
【００２８】
次に、最大話数が１以上に設定されている場合、制御部２は、予約領域に記憶されているデータをシリーズ型のデータフォルダへ移動する（ステップＳ１８）。そして、制御部２は、記憶部９内のシリーズ型データフォルダ内に、予め設定されている最大話数のデータファイルが存在するか否かを判定する（ステップＳ１９）。この判定の結果、存在しなければ、制御部２は、情報配信サーバ１３が配信するデータファイルをダウンロードして、記憶部９の予約領域へ記憶する（ステップＳ２２）。一方、既に最大話数のデータファイルが存在する場合、制御部２は、最も古いデータファイルを削除し（ステップＳ２０）、データファイルを削除したことを示すメッセージを表示部４へ表示することにより、データファイルを削除したことをユーザに対して通知する（ステップＳ２１）。そして、制御部２は、情報配信サーバ１３が配信するデータファイルをダウンロードして、記憶部９の予約領域へ記憶する（ステップＳ２２）。
【００２９】
このように、データの更新チェックを行い、ダウンロードするべき動画ファイルが存在するとき、その動画ファイルが格納される予約領域が上書きしない設定である場合、または、上書きする設定であっても、最大話数が１以上である場合、直前の動画ファイルを自動的に適したフォルダヘ移動し、記憶容量が一定以上であり、またはデータフォルダが一杯であるとき、外部メモリ等へ自動的に移動することができる。これにより、データフォルダ内の配信サービス用の予約領域の未再生情報が上書きされてしまうことを防止するこことができ、データフォルダのメモリ容量を有効に活用することができる。
【００３０】
また、上書き設定されている場合で最大話数が１以上であるとき、直前の動画ファイルをデータフォルダに移動する際に、最大話数以上の動画ファイルが存在すれば、そのフォルダ内で最も古いものを削除するようにするとともに、削除しようとする動画ファイルが一度も再生されていない場合は削除を行わないため、ダウンロードしたデータを確実に保護することができる。
【００３１】
また、ダウンロード後上書きする指定のものは、何話分の動画ファイルを残すかの最大話数を設定することができるようにしたため、例えば、シリーズ型の動画ファイルを上書きダウンロード設定していて、最大話数を３と設定していた場合、番組データが配信され、自動的に１〜３話までがデータフォルダに保存されていた状態で、４話目がデータフォルダに移動してくると、データフォルダ内で最も古い動画ファイル、つまり１話目が削除され、続いて５話目が移動してくると２話目が削除されるというように、ダウンロードした動画ファイルより３つ古い動画ファイルまでが保存されることになる。
【００３２】
また、ダウンロードされる動画ファイルが、上書きしない（既に予約エリアに存在するファイルを自動的に移動する）と設定されている場合、または上書きダウンロード設定で最大話数が１以上の場合（最大話数が１の場合は、フォルダ移動を行わずそのまま上書きするため、条件に合致しない）、タイトルや曜日、動画ファイルの種別（情報提供型、シリーズ型、読み切り型等）によって、それぞれのフォルダに自動的に移動されることが可能となる。さらに、ユーザがデータフォルダを作成し、そのフォルダに移動させる動画ファイルを設定することも可能となる。
なお、番組登録後、初めて動画ファイルが配信されたときは、自動的にフォルダを作成し、タイトルや曜日等をフォルダの名称として自動的に変更するようにしてもよい。また、フォルダの名称はユーザによっても変更可能としてもよい。
【００３３】
また、携帯端末１が外部メモリ１０を備えておらず、記憶部９内のデータフォルダの残量が足りなくなって、動画ファイルの移動が行えない場合に対応するために、ダウンロード終了後、データフォルダの残量を常に確認し、次回のダウンロードが可能であるか否かをチェックするようにしてもよい。例えば、データフォルダの残量が、配信可能な動画ファイルの最大容量値よりも少なくなったとき、「容量が足りないため、次回のダウンロードで移動を行うことが出来ません。上書きされてしまいます」等の警告メッセージを予め通知することが可能となる。
【００３４】
また、最も古い未再生でない動画ファイルを自動的に削除するとともに、上書きダウンロード設定された動画ファイルであるが、一度も再生されず、かつ次に配信された動画ファイルは再生済である動画ファイルを（次の動画ファイルを再生したことにより、前回の動画ファイルはもう再生する可能性は低いであろうと判断することとして）削除するようにしたため、記憶容量を十分に確保することが可能となる。さらに削除する際、ユーザに対して、「○○のファイルを削除します。よろしいですか？」等の確認メッセージを通知することにより、記憶領域を効率よく使用することが可能となる。
【００３５】
また、動画ファイルの容量が、ある一定値以上（例えば、配信可能な動画ファイルの最大容量値の半分、または３分の２等）の場合、またはデータフォルダの残量が少ない場合は、外部メモリ１０へに移動するようにしたため、ダウンロードしたデータファイルを確実に保護することができる。外部メモリ１０へ移動させる動画ファイルの容量値の閾値は、ユーザが「〜ＭＢｙｔｅ以上」等と設定可能とするようにしてもよい。
【００３６】
また、携帯端末１が自動的に行った上記の処理動作に関して、ユーザヘの通知が必要とみなされるもの（「フォルダが作成されました」、「再生していないファイルを移動しました」、「容量が大きかったためＳＤカードヘ移動しました」等）を、待受画面においてメッセージ表示したり、未再生の動画ファイルが存在するフォルダの隣にアイコンを表示させたりする等、分かりやすい通知を行うようにしたため、ユーザは携帯端末１が自動的に実行した処理の内容を把握することができる。
【００３７】
次に、図３を参照して、データダウンロード及びデータファイルの移動処理を実行時の表示部４の画面遷移を説明する。
まず、通常時の待ち受け画面（図３（ａ））において、所定時間が到来すると、更新チェックを行う（図３（ｂ））。更新チェックを行った結果、配信番組がなければ待ち受け画面に戻る（図３（ａ））。一方、新たに配信されるデータファイルがある場合、ダウンロードを開始するための準備中であることを示す画面を表示する（図３（ｃ））。このとき、予約領域に格納されているデータファイルが、上書き設定なのか上書きしないで移動する設定なのかを調べ、それぞれ対応した動作を行う。データファイルの移動処理を行っている間は、着信以外の割り込みは受け付けない。
【００３８】
次に、データファイルの移動処理が終了すると、ダウンロードを開始し、ダウンロード中であることを示す画面を表示する（図３（ｄ））。そして、ダウンロードが終了すれば、「ダウンロード成功しました」と表示し（図３（ｅ））、タイムアウト等で待受画面に戻り、「ダウンロードしたファイルがあります」等のお知らせを表示する（図３（ｆ））。
【００３９】
なお、更新チェック中、またはダウンロード中に割込み処理が発生した場合、実行中の処理を中断し、割り込み処理が終了した後に中断していた処理を再開する。ここでいう割込み処理とは、音声・メール着信やアラーム等、現在の処理よりも優先度が高い処理のことである。また、中止操作（終話キーやクリアキー、操作が中止されるキーを押下された場合等）が行われた場合は、現在の処理を強制的に終了する。
【００４０】
このように、更新ファイルのチェックを行い、新たにダウンロードするべきデータファイルがあると確認された場合や予め決められている次回更新予定時刻になろうとしている場合に、既にダウンロードされたデータファイルを別のフォルダヘ自動的に移動するようにしたため、新たにダウンロードする記憶領域を確実に確保することができる。また、ダウンロードする際に、予約領域に既に存在するデータファイルを上書きするか、上書きしないで移動するか、配信ファイルの種別の整理や上書き保存を指定する場合の最大保存数などをユーザが任意に設定することができるため、所定の条件でメモリ残量の整理を行なうことができる。
【００４１】
また、ダウンロード終了後、データフォルダの残量を確認し、データフォルダの残量が、配信可能なデータファイルの最大容量値よりも少なくなったとき、警告メッセージを通知したり、所定の条件を満たすデータファイルを自動的に削除するようにしたため、記憶領域の整理作業を効率的に行うことが可能となる。また、自動的に行った処理動作のうちユーザに対して通知が必要とみなされる事項について、「フォルダが作成されました」、「容量が大きかったためＳＤカードへ移動しました」等のメッセージを待受画面に表示したり、未再生のデータファイルが存在するフォルダの隣にアイコンを表示させたりするなど分かりやすい通知をユーザに対して行うようにしたため、ユーザは、自動的に行われた処理の内容を把握することができる。
【００４２】
以上説明したように、ダウンロードを実行する前に、保存しておきたいデータファイルは自動的に作成したフォルダや設定したフォルダに自動的に移動することができる。また、データファイルを格納するフォルダを自動的に作成し、次回のダウンロードからそのフォルダヘ移動するように自動的に設定されようにしたため、ユーザは煩雑な操作をする必要がなくなり、ユーザの負担を軽減することができる。
また、上書きダウンロードすることが設定されているデータファイルであっても、未だ再生していないデータファイルであれば、上書きが行われないため、まだ見ていないデータファイルが消去されてしまうことはなくなり、通信料金が無駄になることを防止することができる。
【００４３】
また、上書きするデータファイルと保存しておくデータファイルを分けることによって、携帯端末の少ない記憶領域を効率的に使用することができる。また、記憶領域が一定以上の容量であった場合、外部メモリへ自動的に移動することができる。さらに、次回のダウンロードが始まるまでデータファイルを記憶サービス用の予約領域に格納しておくため、データフォルダ内に無駄な領域を作らないようにできる。
【００４４】
また、データフォルダの残量が少なくなると、自動的に削除やユーザヘの通知等によって容量の確保を行うようにしたため、容量不足のためにダウンロードできないという状況を極力なくすことができる。
【００４５】
また、上書きダウンロードすることを設定しても、保存しておく最大個数を設定することができるようにしたため、１つ前、または２つ前等のデータファイルを見直すことができる。また、関連したデータファイルを１つのデータフォルダにまとめることにより、データファイルの検索の手間を省くことが可能となる。また、アイコン表示等でユーザに分かりやすく通知することによって、自動的に実行された処理の内容を把握することができる。
【００４６】
なお、前述した説明においては、情報配信サーバ１３から配信するデータファイルの配信形態として、情報配信サーバ１３との間で通信を確立した後に、携帯端末１から情報配信サーバ１３に対して、ダウンロード要求を行ってダウンロードする動作を説明したが、データファイルの配信形態は、これに限らず、例えばブロードキャストチャネルと呼ばれる、通信チャネルの一部を全携帯端末で利用可能とし、１つの回線を同時に複数の携帯端末で受信する放送系のサービス（ＢＣＭＣＳ；Broadcast Multicast Service）を使用してもよい。このデータ配信形態を使用すれば携帯端末それぞれが個別の回線を確立する必要がないため、ニュースや映画など大容量のデータ配信が可能となり、無線回線の利用効率を向上させることができる。また基地局単位での制御が可能なため、一般的な広域放送サービスとは異なり、より地域に関連した情報の配信が可能となるものである。また、前述した携帯端末は、移動通信を使用した携帯電話機や移動通信機能を有した携帯情報端末（ＰＤＡ）、モバイル端末、カーナビ装置などを含むものである。
【００４７】
なお、図１における処理部の機能を実現するためのプログラムをコンピュータ読み取り可能な記録媒体に記録して、この記録媒体に記録されたプログラムをコンピュータシステムに読み込ませ、実行することによりデータダウンロード処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４９】
【図１】本発明の一実施形態の構成を示すブロック図である。
【図２】図１に示す携帯端末１の動作を示すフローチャートである。
【図３】データダウンロード時の画面遷移を示す説明図である。
【図４】図１に示す携帯端末１と情報配信サーバ１３の動作を示すシーケンス図である。
【図５】図１に示す記憶部９及び外部メモリ１０内に生成されるデータフォルダの構成を示す説明図である。
【符号の説明】
【００５０】
１・・・携帯端末、２・・・制御部、３・・・入力部、４・・・表示部、５・・・電話機能部、６・・・通信部、７・・・情報処理機能部、８・・・スピーカ、９・・・記憶部、１０・・・外部メモリ、１１・・・基地局、１２・・・通信網、１３・・・情報配信サーバ
【図１】
2007043367.tif 000003
【図２】
2007043367.tif 000004
【図３】
2007043367.tif 000005
【図４】
2007043367.tif 000006
【図５】
2007043367.tif 000007